(57)【要約】【課題】  ソケットに対してコネクタ本体を迅速かつスムーズに抜き差しが行えるフラットケーブル用圧接型コネクタを提供する点にある。【解決手段】  ケーブル保持部材６の後面から後方に延出してソケットに差し込まれたコネクタ本体２の差込部１を引き抜くための引き抜き用の操作片７を備え、コネクタ本体２とこれの後面側に後方から順次重ね合わせて係止保持される押圧部材５及びケーブル保持部材６とが重ね合わせ方向においてほぼ重複するように、該３つの部材２，５，６の上下方向の縦寸法及び左右方向の横幅寸法をほぼ同一に設定し、操作片７の左右の横側面を円弧状に凹ませて指の腹が入り込む凹入部８を形成した。【選択図】        図１
2007053037.tif 000002
【特許請求の範囲】
【請求項１】
ソケットに抜き差し可能な差込部を前面に備えたコネクタ本体と、該コネクタ本体の後面側に配置したフラットケーブルを該コネクタ本体へ押圧することにより、該コネクタ本体から後方に突出する端子にてフラットケーブルの被覆材を押し切って該端子と該フラットケーブルのケーブル線とを接触状態にするための押圧部材と、該コネクタ本体と該押圧部材との間に挟み込まれた状態のフラットケーブルを折り返して該押圧部材の後面に位置させた折り返し部分を挟み込んで該フラットケーブルを保持するためのケーブル保持部材とを備え、前記ケーブル保持部材の後面から後方に延出して前記ソケットに差し込まれた前記コネクタ本体の差込部を引き抜くための引き抜き用の操作片を備え、該コネクタ本体とこれの後面側に後方から順次重ね合わせて係止保持される前記押圧部材及びケーブル保持部材とが重ね合わせ方向においてほぼ重複するように、該３つの部材の上下方向の縦寸法及び左右方向の横幅寸法をほぼ同一に設定し、前記操作片の左右の横側面を円弧状に凹ませて指の腹が入り込む凹入部を形成したことを特徴とするフラットケーブル用圧接型コネクタ。
【請求項２】
前記操作片の凹入部の表面に滑り止め用の多数の突起部を備えさせてなる請求項１に記載のフラットケーブル用圧接型コネクタ。
【請求項３】
前記操作片の上下方向両側面に滑り止め用の多数の突起部を備えさせてなる請求項１又は２に記載のフラットケーブル用圧接型コネクタ。
【請求項４】
前記操作片を、前記押圧部材に固定される第１固定片と、この第１固定片の後面に係止保持可能で係止解除自在な第２可動片とから構成してなる請求項１〜３のいずれかに記載のフラットケーブル用圧接型コネクタ。
【発明の詳細な説明】
【技術分野】
【０００１】
本発明は、ソケットに対してコネクタ本体の差込部を容易かつ迅速に引き抜いたり、差し込むことができるフラットケーブル用圧接型コネクタに関する。
【背景技術】
【０００２】
上記フラットケーブル用圧接型コネクタとしては、各種のものが提案されているが、コネクタ本体の差込部をソケットから容易に抜くことができるように、最も後側に位置するケーブル保持部材に引き抜きテープを備えさせる、又はケーブル保持部材に後方に延出させたプレート状の引き抜き片を備えさせ、引き抜きテープを引っ張ったり、引き抜き片を引っ張ることにより、ソケットに対してコネクタ本体の差込部を引き抜くようにしている（例えば、特許文献１参照。）。
【特許文献１】実開昭６０−１７２２７４号公報（図２及び図４参照）
【発明の開示】
【発明が解決しようとする課題】
【０００３】
上記特許文献１の引き抜きテープでは、テープのどの部分でも掴むことができるため、掴む部分（例えば左右の端部分）によってはコネクタ本体全体に均一に引っ張り力が作用せず、引き抜くことができないことがある。このため、テープを持ち替えて再度引っ張り操作しなければならず、引き抜き時間が多くかかることがあった。又、コネクタ本体をソケットに差し込む場合には保形性の低いテープでは押し込むことができないため、押し込みには不向きであった。そこで、押し込み時及び引き抜き時に有利となるように、プレート状の引き抜き片を備えさせたものがあるが、この引き抜き片の場合には、薄い板状の引き抜き片の中心部に指を入れて引っ掛けるための開口を形成したもので、この開口に指を引っ掛けて引き抜く構成であることから、ほぼ直後方へ真っ直ぐに引き抜くことができない。そのため、コネクタ本体全体を斜めに引っ張ってしまい、引き抜きに大きな移動抵抗が作用してしまい、引き抜きをスムーズに行うことができないことがあった。又、コネクタ本体をソケットに押し込む場合も、開口に指を引っ掛けてコネクタ本体を押し込むことになるが、板状の引き抜き片を安定良く持つことができないため、コネクタ本体を迅速に押し込むことができないものであり、改善の余地があった。
【０００４】
本発明が前述の状況に鑑み、解決しようとするところは、ソケットに対してコネクタ本体を迅速かつスムーズに抜き差しが行えるフラットケーブル用圧接型コネクタを提供する点にある。
【課題を解決するための手段】
【０００５】
本発明のフラットケーブル用圧接型コネクタは、前述の課題解決のために、ソケットに抜き差し可能な差込部を前面に備えたコネクタ本体と、該コネクタ本体の後面側に配置したフラットケーブルを該コネクタ本体へ押圧することにより、該コネクタ本体から後方に突出する端子にてフラットケーブルの被覆材を押し切って該端子と該フラットケーブルのケーブル線とを接触状態にするための押圧部材と、該コネクタ本体と該押圧部材との間に挟み込まれた状態のフラットケーブルを折り返して該押圧部材の後面に位置させた折り返し部分を挟み込んで該フラットケーブルを保持するためのケーブル保持部材とを備え、前記ケーブル保持部材の後面から後方に延出して前記ソケットに差し込まれた前記コネクタ本体の差込部を引き抜くための引き抜き用の操作片を備え、該コネクタ本体とこれの後面側に後方から順次重ね合わせて係止保持される前記押圧部材及びケーブル保持部材とが重ね合わせ方向においてほぼ重複するように、該３つの部材の上下方向の縦寸法及び左右方向の横幅寸法をほぼ同一に設定し、前記操作片の左右の横側面を円弧状に凹ませて指の腹が入り込む凹入部を形成したことを特徴としている。
上記のように引き抜き用操作片の上下方向の縦寸法及び左右方向の横幅寸法を、押圧部材及びケーブル保持部材の上下方向の縦寸法及び左右方向の横幅寸法とほぼ同一に設定することによって、操作片の左右の横側面を円弧状に凹ませて指の腹が入り込む凹入部を備えさせることができ、これら左右両端に位置する凹部に指（例えば親指と人差し指）を入り込ませることによって、コネクタを安定良く掴むことができ、ソケットに対する抜き差しを迅速かつスムーズに行うことができる。又、操作片が上下方向にある程度の厚みを有しているため、操作片の上下面を掴んだ場合でも、薄い板状のものに比べて安定よく掴むことができる。
【０００６】
前記操作片の凹入部の表面に滑り止め用の多数の突起部を備えさせてもよい。
【０００７】
前記操作片の上下厚み方向両側面に滑り止め用の多数の突起部を備えさせてもよい。
【０００８】
前記操作片を、前記押圧部材に固定される固定片と、この固定片の後面に係止保持可能で係止解除自在な可動片とから構成してもよい。
【発明の効果】
【０００９】
コネクタ本体とこれの後面側に後方から順次重ね合わせて係止保持される前記押圧部材及びケーブル保持部材とが重ね合わせ方向においてほぼ重複するように、該３つの部材の上下方向の縦寸法及び左右方向の横幅寸法をほぼ同一に設定し、前記操作片の左右の横側面を円弧状に凹ませて指の腹が入り込む凹入部を形成することによって、これら左右両端に位置する凹部に指（例えば親指と人差し指）を入り込ませて、コネクタを安定良く掴むことができるから、ソケットに対する抜き差しを迅速かつスムーズに行うことができるフラットケーブル用圧接型コネクタを提供することができる。又、操作片が上下方向にある程度の厚みを有しているため、操作片の上下面を掴んだ場合でも、薄い板状のものに比べて安定よく掴むことができるから、掴み方を変更した場合でも、ソケットに対する抜き差しを迅速かつスムーズに行うことができる利点がある。
【００１０】
操作片の凹入部の表面に滑り止め用の多数の突起部を備えさせることによって、操作片から指を滑らせてしまうことを回避して、より一層確実に抜き差し操作が行える利点がある。
【００１１】
操作片の上下厚み方向両側面に滑り止め用の多数の突起部を備えさせることによって、操作片を掴んでコネクタ本体の抜き差し操作する場合でも、指を滑らせてしまうことを回避して、より一層確実に抜き差し操作が行える利点がある。
【００１２】
操作片を、前記押圧部材に固定される固定片と、この固定片の後面に係止保持可能で係止解除自在な可動片とから構成することによって、可動片の大きさや形状を自由に変更することができ、使用する場所や用途などに応じて付け替えることができる。又、固定片の大きさが異なる、つまりコネクタ本体の大きさが異なる場合でも、共通の可動片を用いることができ、在庫管理面において有利になる。又、不要時に可動片を取り外しておくこともできる。
【発明を実施するための最良の形態】
【００１３】
図１及び図２に、フラットケーブル用圧接型コネクタを示している。このフラットケーブル用圧接型コネクタは、ソケット（図示せず）に抜き差し可能な差込部１を前面に備えた合成樹脂製のコネクタ本体２と、該コネクタ本体２の後面側に配置したフラットケーブル３を該コネクタ本体２へ押圧することにより、該コネクタ本体２から後方に突出する端子４にてフラットケーブル３の合成樹脂でなる被覆材を押し切って該端子４とフラットケーブル３のケーブル線（図示せず）とを接触状態にするための合成樹脂製の押圧部材５と、該コネクタ本体２と該押圧部材５との間に挟み込まれた状態のフラットケーブル３を折り返して該押圧部材５の後面に位置させた折り返し部分３Ａを挟み込んで該フラットケーブル３を保持するための合成樹脂製のケーブル保持部材６とを備えている。３つの部材２，５，６を合成樹脂で構成することによって、製造を容易に行うことができる利点があるが、他の材料を用いて製造してもよい。又、３つの部材２，５，６の大きさや形状は自由に変更可能である。
【００１４】
詳述すれば、前記ケーブル保持部材６の後面から後方に延出して前記ソケットに差し込まれた前記コネクタ本体２の差込部１を引き抜くための引き抜き用の操作片７を一体形成し、前記コネクタ本体２とこれの後面側に後方から順次重ね合わせて係止保持される前記押圧部材５及びケーブル保持部材６とが重ね合わせ方向においてほぼ重複するように、該３つの部材２，５，６の上下方向の縦寸法及び左右方向の横幅寸法をほぼ同一に設定し、前記操作片７の左右の横側面を円弧状に凹ませて指の腹が入り込む凹入部８を形成している。
【００１５】
前記操作片７の左右の凹入部８の表面それぞれに、滑り止め用の多数の突起部９を一体形成している。前記突起部９は、差し込み方向において所定間隔を置いて多数突出形成された縦向きのほぼ長方形状のものからなっているが、正方形状、球状、三角形状等どのような形状のものであってもよい。
従って、フラットケーブル用圧接型コネクタを抜き差し操作する場合には、左右両端に位置する凹入部８，８に例えば親指と人差し指（他の指であってもよいし、２本の指であってもよい）を入り込ませることによって、フラットケーブル用圧接型コネクタを親指の腹と人差し指の腹とで安定良く掴むことができ、ソケットに対する抜き差し操作を迅速かつスムーズに行うことができる。このとき、滑り止め用の多数の突起部９にて手が滑ることを確実に阻止することができる利点があるが、場合によっては突起部９を省略してもよい。又、滑り止め機能を有するものであれば、突起部９に代えて凹部や溝部であってもよい。
【００１６】
前記操作片７の上下厚み方向両側面に滑り止め用の多数の突起部１０を備えさせている。この突起部１０は、引き抜き方向と直交する方向に延びる長方形状に構成されているが、正方形状、球状、三角形状等どのような形状のものであってもよいし、場合によっては省略してもよい。又、突起部９に代えて凹部や溝部であってもよい。
前記操作片７が上下方向にある程度の厚みを有しているため、操作片７の上下面を掴んだ場合でも、薄い板状のものに比べて安定よく掴むことができる。しかも、滑り止め用の多数の突起部１０にて指が滑ることを確実に回避することができる。
【００１７】
前記コネクタ本体２は、ほぼ直方体でなり、左右両端に前記押圧部材５の左右両端の前面に備えさせた前方に突出する門型の突起部５Ａ，５Ａを挿入可能な開口２Ａを形成している。又、前記開口２Ａを形成する内壁面に該開口２Ａ内に侵入してきた前記突起部５Ａ，５Ａの先端に係止する係止部２Ｂを突出形成している。
又、図２及び図３（ａ），（ｂ），（ｃ）に示すように、前記押圧部材５の左右両端に、前記ケーブル保持部材６の左右両端の前面に前方突出する係止突起６Ａ，６Ａを入り込ませて前記開口２Ａ内へ侵入可能な溝５Ｂ，５Ｂを形成している。従って、前記コネクタ本体２の開口２Ａ，２Ａに対して押圧部材５の突起部５Ａ，５Ａを挿入するだけで、突起部５Ａ，５Ａの先端が係止部２Ｂ，２Ｂに係止して両者を固定できるようになっている。続いて、ケーブル保持部材６の係止突起６Ａ，６Ａを溝５Ｂ，５Ｂに挿入することによって、開口２Ａ，２Ａに係止突起６Ａ，６Ａを位置させると同時に係止突起６Ａ，６Ａの爪部６ａ，６ａが開口２Ａ，２Ａを形成する外壁２Ｃの前端に係止すると共に係止突起６Ａ，６Ａの先端面が係止部２Ｂ，２Ｂに接当した状態となって、両者を固定できるようになっている。このようにコネクタ本体２に対してそれの後方から押圧部材５、ケーブル保持部材６を順次重ね合わせることによって、３つの部材２，５，６を係止にて迅速に固定することができるようになっているが、溶着又は接着剤を用いるなどして３つの部材２，５，６を固定してもよい。尚、前記コネクタ本体２に押圧部材５を係止させる前には、図２に示すように、フラットケーブル３の先端部３Ｂを両者の間に挟み込んだ状態で行い、又、押圧部材５にケーブル保持部材６を係止させる前には、フラットケーブル３の折り返し部分３Ａを挟み込んだ状態で行うことになる。
【００１８】
図４（ａ），（ｂ）に示すように、前記操作片７を、前記押圧部材５に固定される固定片７Ａと、この固定片７Ａの後面に係止保持可能で係止解除自在な可動片７Ｂとから構成してもよい。前記固定片７Ａに、ケーブル保持部材６の後端から後方に延びる延出部の後面のうちの左右方向２箇所に被係止部としての切欠き７Ｋ，７Ｋを形成し、それら切欠き７Ｋ，７Ｋに上下方向から係止する左右一対の係止部としての突起部７Ｔ，７Ｔを前記可動片７Ｂの前面から前方に向けて突出する状態で形成している。従って、可動片７Ｂを別の形状又は大きさの可動片に付け替えることもできるし、異なる固定片７Ａに対して共通の可動片７Ｂを用いることもできる。図４（ａ），（ｂ）では、可動片７Ｂの横側面に形成した前記凹入部８，８の表面に、滑り止め用の突起部９を形成していないが、滑り止め用の突起部９を形成して実施してもよい。又、可動片７Ｂの上下両面にも滑り止め用の多数の突起部１０を形成して実施してもよい。尚、説明していない他の部分は前述したものと同一であるため、同一の符号を付すとともに説明を省略する。
【００１９】
図５（ａ），（ｂ）に示すように、前記ケーブル保持部材６に前記操作片７を着脱自在に取り付けて実施することもできる。つまり、操作片７の上面（下面でもよい）に突出形成した４個の突起部７Ｃに係止可能な４個の係止孔１１Ａが形成されたシート状部材１１の一端をケーブル保持部材６の下面側に接着剤又は溶着などにより連結固定している。従って、図５（ａ）に示す状態において、シート状部材１１をケーブル保持部材６に巻き付けてから、シート状部材１１の４個の係止孔１１Ａを操作片７の４個の突起部７Ｃに係止することによって、操作片７をケーブル保持部材６に連結固定することができるようになっている。図５（ａ），（ｂ）では、操作片７の横側面に形成した前記凹入部８，８の表面に、滑り止め用の突起部９を形成していないが、滑り止め用の突起部９を形成して実施してもよい。又、操作片７の上下両面にも滑り止め用の多数の突起部１０を形成して実施してもよい。尚、説明していない他の部分は前述したものと同一であるため、同一の符号を付すとともに説明を省略する。
【図面の簡単な説明】
【００２０】
【図１】フラットケーブル用圧接型コネクタの斜視図である。
【図２】フラットケーブル用圧接型コネクタの分解斜視図である。
【図３】フラットケーブル用圧接型コネクタを示し、（ａ）はフラットケーブルを省略した分解平面図、（ｂ）は一部を省略した平面図、（ｃ）は一部を省略した側面図である。
【図４】第２のフラットケーブル用圧接型コネクタを示し、（ａ）はそれの分解斜視図、（ｂ）はそれのケーブル保持部材及び操作片の斜視図である。
【図５】第３のフラットケーブル用圧接型コネクタを示し、（ａ）はそれの分解斜視図、（ｂ）はそれのケーブル保持部材及び操作片の斜視図である。
【符号の説明】
【００２１】
１  差込部
２  コネクタ本体
２Ａ  開口
２Ｃ  外壁
２Ｂ  係止部
３  フラットケーブル
３Ｂ  先端部
３Ａ  部分
４  端子
５  押圧部材
５Ａ  突起部
５Ｂ  溝
６  ケーブル保持部材
６ａ  爪部
６Ａ  係止突起
７Ｂ  可動片
７Ａ  固定片
７  操作片
７Ｃ  突起部
７Ｔ  突起部
８  凹入部
９  突起部
１０  突起部
１１  シート状部材
１１Ａ  係止孔
【図１】
2007053037.tif 000003
【図２】
2007053037.tif 000004
【図３】
2007053037.tif 000005
【図４】
2007053037.tif 000006
【図５】
2007053037.tif 000007